(57)【要約】  本開示は、シャフトチューブ７と、シャフトチューブの下端にトリマーまたはクリアリングソーブレードなどの切断器具３と、シャフトチューブの上端に上部ハウジング５と、ハンドル装置１５とを備える、電動式草木カッター１に関する。草木カッターは電気モーターによって駆動される。電気モーター１１およびバッテリー１３の少なくとも１つが上部ハウジング５に配置される。ハンドル装置１５は、一端で枢動接続部２３を介して上部ハウジング５に接続され、上部ハウジング５から離れて、他端でばね２５などの弾性部材を介してシャフトチューブ７に接続されるコネクタリンク２１を含む。第１および第２のハンドル１７、１９を備えるハンドルバーが、コネクタリンク２１に取り付けられる。
2020536558.tif 000002
【特許請求の範囲】
【請求項１】
電動式の草木カッター（１）であって、シャフトチューブ（７）と、前記シャフトチューブの下端部の切断器具（３）と、前記シャフトチューブの上端部の上部ハウジング（５）と、前記切断器具（３）および前記上部ハウジング（５）の間の位置で前記シャフトチューブ（７）に接続されたハンドル装置（１５）と、を備え、前記草木カッターは、前記切断器具（３）を駆動するよう構成された電気モーター（１１）と、前記電気モーターに電力を供給するよう構成されたバッテリー（１３）とを備え
前記上部ハウジング（５）が前記電気モーター（１１）および前記バッテリー（１３）の少なくとも１つを備え、かつ
前記ハンドル装置（１５）がコネクタリンク（２１）を備え、前記コネクタリンク（２１）の第１端部は、枢動接続部（２３）を介して前記上部ハウジング（５）に接続され、前記コネクタリンク（２１）の第２端部は、前記上部ハウジング（５）から距離（Ｄ）の位置で弾性部材（２５）を介して前記シャフトチューブ（７）に接続され、かつ
ハンドルバーが第１および第２ハンドル（１７，１９）を備え、前記コネクタリンク（２１）に取り付けられることを特徴とする草木カッター。
【請求項２】
前記コネクタリンク（２１）が前記シャフトチューブ（７）を囲むよう構成されている、請求項１に記載の草木カッター。
【請求項３】
前記電気モーター（１１）および前記バッテリーの両方が前記上部ハウジング（５）に配置される、請求項１または２に記載の草木カッター。
【請求項４】
前記コネクタリンク（２１）の前記第２端部は、少なくとも１つのバネの形態の弾性部材（２５）によって、前記シャフトチューブ（７）にしっかり取り付けられたシャフトカラー（２７）に接続されている、請求項１〜３のいずれか一項に記載の草木カッター。
【請求項５】
前記コネクタリンク（２１）が１または複数のブッシュの形態の枢動接続部（２３）によって前記上部ハウジング（５）に接続されている、請求項１に記載の草木カッター。
【請求項６】
前記草木カッターの回転質量は、前記弾性部材（２５）が接続された前記シャフトチューブ（７）のポイント（３３）より下では前記ポイントより上よりも大きい、請求項１〜５のいずれか一項に記載の草木カッター。
【発明の詳細な説明】
【技術分野】
【０００１】
本開示は、シャフトチューブ、シャフトチューブの下端部の切断器具、シャフトチューブの上端部の上部ハウジング、およびハンドル装置を備える、電動式草木カッターに関する。  ハンドル装置は、切断器具と上部ハウジングの間の位置でシャフトチューブに接続され、草木カッターは、切断器具を駆動するように構成された電気モーターと、電気モーターに電力を供給するように構成されたバッテリーとを備える。
【背景技術】
【０００２】
このような草木カッターは、例えば、特許文献１に開示されている。このようなカッターに関連する１つの問題は、これらをどのようにしてプロの使用により適したものにするかである。
【先行技術文献】
【特許文献】
【０００３】
【特許文献１】国際公開第２０１１／００５１５６号パンフレット
【発明の概要】
【課題を解決するための手段】
【０００４】
したがって、本開示の１つの目的は、プロ使用により適した草木カッターを提供することである。この目的は、請求項１に定義された草木カッターによって達成される。より具体的には、最初に述べた種類の草木カッターでは、上部ハウジングは、電気モーターおよびバッテリーの少なくとも１つを含む。ハンドル装置は、コネクタリンクを備え、その第１の端部が枢動接続部を介して上部ハウジングに接続され、第２の端部が弾性部材を介して上部ハウジングから離れたシャフトチューブに接続されている。草木カッターはさらに、コネクタリンクに取り付けられた第１および第２のハンドルを備えるハンドルバーを備える。
【０００５】
このような草木カッターでは、切断器具から発生する振動がハンドルに到達するには、シャフトチューブを伝わり、上部ハウジングとコネクタリンクを介する必要がある。電気モーターおよび／またはバッテリーによって決定される明確な質量、および上部ハウジングに対するハンドルの弾性サスペンションにより、振動、特に高い周波数に対して非常に効果的な減衰効果があり、モーター／バッテリーの質量に簡単に影響を与えない効果がある。これにより、草木カッターをハンドルで保持する場合に発生する振動が減少し、草木カッターが長時間のプロの使用により適したものになる。
【０００６】
コネクタリンクは、シャフトチューブを取り囲むように構成することができ、強力でコンパクトな構造の両方を提供する。
【０００７】
電気モーターとバッテリーの両方が上部ハウジングに配置され、これにより、かなりの明確な質量が得られ、振動が大幅に減衰する。
【０００８】
コネクタリンクは、少なくとも１つのばねの形態の弾性部材によって、シャフトチューブしっかりと取り付けられたシャフトカラーに接続されてもよい。これにより、シャフトチューブに信頼性の高い接続ポイントが提供される。
【０００９】
コネクタリンクは、１つまたは複数のブッシングの形態の枢動接続部によって上部ハウジングに接続されてもよい。
【００１０】
草木カッターの回転質量は、弾性部材が接続されているシャフトチューブのポイントより下では上よりも高くなることがある。
【図面の簡単な説明】
【００１１】
【図１】本開示による草木カッターを示す。
【図２】本開示による振動低減構成の動作を概略的に示す。
【図３】図１の草木カッターのハンドル配置の分解図を示す。
【発明を実施するための形態】
【００１２】
本開示による草木カッター１の一例が図１に示されている。草木カッター１は、シャフトチューブ７の下端に取り付けられた切断器具３を備える。図の場合、切断器具３は、例えば草を切ることを意図した切断ワイヤーである。しかし、切断ワイヤーをクリアリングソーブレード等と交換することは可能であり、草木カッターは、使用される切断器具および草木カッターの所望の用途に応じて、トリマー、ブラシカッターまたはクリアリングソーとして考案される可能性がある。使用者を破片から保護するために、切断器具３にスクリーン９を設けることができる。
【００１３】
上部ハウジング５は、シャフトチューブ７の上端に位置し、電気モーター１１および電気モーター１１に電力を供給するバッテリー１３のいずれかまたは両方を備え得る。第１および第２のハンドル１７、１９を備えるハンドル装置１５が設けられ、図示のように、いずれかにモーターを制御するスロットルなどの制御装置を設けることができる。
【００１４】
本開示では、ハンドル装置１５は、切断器具３の動作によって装置に誘発される振動を低減するように考案されている。非電気式草木カッターには防振策が存在するが、このような解決策は、燃焼エンジンから使用者が握るハンドルへの振動の伝達を最小限に抑えるように適合されている。一方、電気モーターは、比較的無視できる振動を生成するものである。本開示では、上部ハウジング５内のモーターおよび／またはバッテリー１１、１３は、代わりに、シャフトチューブ７の下端の切断器具から使用者によって保持されるハンドル１７、１９に移動する振動を低減するのに役立つ減衰質量として使用される。
【００１５】
バッテリー１３とモーター１１の両方が上部ハウジング５に配置されている場合に最も重要な上部ハウジングの質量が提供されるが、上部ハウジングにこれらのアイテムの１つだけを含める場合でも減衰効果が得られる。これは、たとえば、大きなバックパック式バッテリーが使用され、モーターのみが上部ハウジングに配置されている場合、またはモーターが切断器具に配置されており、バッテリーのみが上部ハウジングに配置されている場合である。
【００１６】
振動低減構成が図２に概略的に示されている。ハンドル装置１５は、コネクタリンク２１を備え、コネクタリンク２１は、一端が枢動接続部２３を介して上部ハウジング５に接続され、他端は、弾性部材２５を介して、上部ハウジング５から距離Ｄ離れたところでシャフトチューブに接続される。コネクタリンク２１は、たとえばマグネシウム合金で一体成形することができ、これは、鋳造でき、軽量で丈夫である。
【００１７】
典型的には、より詳細に示されるように、枢動接続部２３は、上部ハウジング５または上部ハウジングの隣のシャフトチューブ７に接続されたゴムブッシュであり得る。弾性部材２５は、シャフトチューブ７に取り付けられたシャフトカラーに接続されたばねであってもよい。距離Ｄは、この範囲に限定されないが、通常３５ｃｍ〜５０ｃｍの範囲であってもよい。第１および第２のハンドル１７、１９を含むハンドルバーは、コネクタリンク２１に取り付けることができる。この配置では、上部ハウジングにある質量が振動絶縁装置として機能し、切断器具３からハンドル１７、１９に伝わる振動を減衰させる。ハウジング内に電気モーター１１および／またはバッテリー１３を使用することにより、この質量は使用中ほぼ一定である。つまり、コネクタリンク２１の長さと弾性部材２５の動的特性は、作動する切断器具によって生成される予測振動周波数に関して所望の方法で振動減衰を実行するように適合され得る。これは、例えば、ガソリンが消費されるにつれて使用中にガソリンタンクの重量が低下する燃焼エンジンとは対照的である。さらに、液体燃料は、タンク内を移動できるため、予測できない方法で機能してしまう。
【００１８】
現在開示されている構成では、それ自体が知られているように、位相がずれて共振することによって特定の周波数振動をキャンセルする周波数適応スプリング質量システムとして上部ハウジングの質量を考案することも可能である。
【００１９】
図３は、図１の草木カッターのハンドル装置１５の分解図を示す。図示のように、コネクタリンク２１は、シャフトチューブ７が通る中空要素であってもよいが、シャフトチューブ７の上側にコネクタリンクを配置するような他の構成も可能である。示されている構成は、コンパクトであり、断面二次モーメントを提供する、つまり、強力であり、コネクタリンク２１がシャフトチューブ７に対して、また逆に、移動可能である。したがって、シャフトチューブ７とコネクタリンク２１との間に遊びが提供される。
【００２０】
図示の場合、コネクタリンク２１の一端は、上述の枢動接続部２３を提供する２つのブッシングによって上部ハウジング５に取り付けられている。もちろん、異なる数のブッシングを使用することも可能である。上部ハウジング５に近い位置でシャフトチューブ７またはシャフトチューブ７に接続された中間部材にコネクタリンクを取り付けることも可能である。典型的には、枢動接続部２３はモーターブラケット２９に取り付けられ、これは電気モーターのベースとしても使用される。モーターブラケット２９は、シャフトチューブ７にしっかりと取り付けられてもよい。
【００２１】
他端では、コネクタリンクは、上記の弾性部材２５を形成する２つのばねを介して、シャフトカラー２７に取り付けられ、シャフトカラー２７は、シャフトチューブ７にしっかりと取り付けられる。言うまでもなく、この目的のために１つまたは２つ以上のばねを使用することができ、他の形態の弾性部材が可能である。
【００２２】
ハンドル１７、１９は、中間バー３１によってコネクタリンク２１に取り付けられ、中間バーは、その下端でコネクタリンク２１にしっかりと接続されている。他のハンドル構成も可能である。
【００２３】
この一般的な構成により、切断器具に起因する振動がハンドル１７、１９に伝播することを大幅に防止することができ、これは、より少ない振動にさらされるユーザーの作業状態を改善する。これは、公園やレクリエーションエリアのメンテナンスなど、長時間使用される専門的に使用される草木カッターで特に有利である。
【００２４】
支配的な振動周波数を予測できる場合は、特にこの周波数を減衰させるように質量スプリングシステムを調整できる。たとえば、７００ｒｐｍで回転する三歯ブラシカッターは、２１００Ｈｚの支配的な振動を生成するため、スプリング質量システムは、それ自体はよく知られているように、特にこの周波数を減衰させるように調整できる。草木カッターの回転質量は、弾性部材２５がシャフトチューブ７に接続されるポイント３３（図２を参照）より下では、このポイントの上より大きく、振動の減衰に役立つ。
【００２５】
本明細書で使用される「上部」および「下部」ならびに「上」および「下」という用語は、シャフトチューブ７の下端にある切断器具３が地面に近く、  上部ハウジング５はそうではない草木カッターの通常使用時の場合を参照するものである。
【００２６】
本開示は、上記の例に限定されず、添付の特許請求の範囲内で異なる方法で変更および変更され得る。
【符号の説明】
【００２７】
１  草木カッター
３  切断器具
５  上部ハウジング
７  シャフトチューブ
９  スクリーン
１１  モーター
１３  バッテリー
１５  ハンドル装置
１７  第１のハンドル
１９  第２のハンドル
２１  コネクタリンク
２３  枢動接続部
２５  弾性部材
２７  シャフトカラー
２９  モーターブラケット
３１  中間バー
３３  ポイント
【図１】
2020536558.tif 000003
【図２】
2020536558.tif 000004
【図３】
2020536558.tif 000005
【国際調査報告】
2020536558.tif 000006
2020536558.tif 000007
2020536558.tif 000008
2020536558.tif 000009